(57)【要約】【課題】  従来の同一周波数変換方式のＴＶシグナルプロセッサではユニバーサル変換ができず、ユニバーサル変換方式のＴＶシグナルプロセッサは同一周波数変換するとビート障害が発生する。【解決手段】  局部発振器からの局部発振信号を用いて伝送信号の周波数を周波数変換し、他の局部発振器からの前記局部発振信号とは異なる周波数の局部発振信号を用いて周波数変換後の周波数を変換前の元の周波数と異なる周波数に変換するユニバーサル変換と、前記周波数変換後の周波数を変換前の周波数と同一周波数に変換する同一周波数変換とを行うことができ、同一周波数変換時には一つの局部発振器からの局部発振信号を分配器により二以上に分配し、分配した局部発振信号の一方を前段の周波数変換に、他方を後段の周波数変換に用いる周波数変換方法である。【選択図】    図１
2005051597.tif 000002
【特許請求の範囲】
【請求項１】
局部発振器からの局部発振信号を用いて伝送信号の周波数を周波数変換し、他の局部発振器からの前記局部発振信号とは異なる周波数の局部発振信号を用いて周波数変換後の周波数を変換前の元の周波数と異なる周波数に変換するユニバーサル変換と、前記周波数変換後の周波数を変換前の周波数と同一周波数に変換する同一周波数変換とを行うことができ、同一周波数変換時には一つの局部発振器からの局部発振信号を分配器により二以上に分配し、分配した局部発振信号の一方を前段での周波数変換に、他方を後段での周波数変換に用いることを特徴とする信号処理方法。
【請求項２】
請求項１記載の信号処理方法において、一方の局部発振器から発振された局部発振信号を二以上に分配する分配器側に切替スイッチを切替えることにより、分配された局部発振信号を用いて同一周波数変換可能としたことを特徴とする信号処理方法。
【請求項３】
局部発振器からの局部発振信号を利用して伝送信号の周波数を変換するための局部発振器と、周波数変換後の周波数を変換前の元の周波数と同一周波数又は元の周波数とは異なる周波数に変換するための局部発振器と、いずれかの局部発振器からの局部発振信号を二以上に分配する分配器と、ユニバーサル変換時には一方の局部発振器側に接続され、同一周波数変換時には分配器に接続される切替スイッチと、切替スイッチを切替制御するＣＰＵを備えたことを特徴とするシグナルプロセッサ。
【請求項４】
請求項３記載のシグナルプロセッサにおいて、ＣＰＵにより制御されて夫々の局部発振器の発振周波数を個別に制御可能な二以上のＰＬＬを備えたことを特徴とするシグナルプロセッサ。
【発明の詳細な説明】
【技術分野】
【０００１】
本発明は例えばＣＡＴＶシステムで伝送される信号の処理方法と、それに使用されるシグナルプロセッサに関するものである。
【背景技術】
【０００２】
従来のＴＶシグナルプロセッサには図２、図３に示すものがある。図２のＴＶシグナルプロセッサは同一周波数変換方式であり、前段のミキサーＡに局部発振器Ｂからの局部発振信号を入力して伝送信号をＩＦ帯域に周波数変換し、前記局部発振器Ｂからの局部発振信号を後段のミキサーＣに入力して変換前の周波数に変換するものである。図３のＴＶシグナルプロセッサはユニバーサル変換方式のものであり、前段のミキサーＡに局部発振器Ｂからの局部発振信号を入力して伝送信号をＩＦ帯域に周波数変換し、前記局部発振器Ｂとは別の局部発振器Ｄから発振される前記局部発振信号とは異なる周波数の局部発振信号を後段のミキサーＢに入力して、更に異なる周波数に変換するものである。
【発明の開示】
【発明が解決しようとする課題】
【０００３】
図２の同一周波数変換方式のＴＶシグナルプロセッサではユニバーサル変換が出来ない、という課題がある。図３のユニバーサル変換方式のＴＶシグナルプロセッサは、同一周波数変換すると両局部発振器Ｂ、Ｄから発振される局部発振信号のずれに基づくビート障害が発生する、という課題がある。
【課題を解決するための手段】
【０００４】
本発明の請求項１の信号処理方法の一つは、局部発振器からの局部発振信号を用いて伝送信号の周波数を周波数変換し、他の局部発振器からの前記局部発振信号とは異なる周波数の局部発振信号を用いて周波数変換後の周波数を変換前の元の周波数と異なる周波数に変換するユニバーサル変換と、前記周波数変換後の周波数を変換前の周波数と同一周波数に変換する同一周波数変換とを行うことができ、同一周波数変換時には一つの局部発振器からの局部発振信号を分配器により二以上に分配し、分配した局部発振信号の一方を前段の周波数変換に、他方を後段の周波数変換に用いる方法である。
【０００５】
本発明の請求項２の信号処理方法は、前記信号処理方法において、一方の局部発振器から発振された局部発振信号を二以上に分配する分配器側に切替スイッチを切替えることにより、分配された局部発振信号を用いて同一周波数変換可能とした方法である。
【０００６】
本発明の請求項３のシグナルプロセッサは、局部発振器からの局部発振信号を利用して伝送信号の周波数を変換するための局部発振器と、周波数変換後の周波数を変換前の元の周波数と同一周波数又は元の周波数とは異なる周波数に変換するための局部発振器と、いずれかの局部発振器からの局部発振信号を二以上に分配する分配器と、ユニバーサル変換時には一方の局部発振器側に接続され、同一周波数変換時には分配器に接続される切替スイッチと、切替スイッチを切替制御するＣＰＵを備えたものである。
【０００７】
本発明の請求項４のシグナルプロセッサは、前記シグナルプロセッサにおいて、ＣＰＵにより制御されて夫々の局部発振器の発振周波数を個別に制御可能な二以上のＰＬＬを備えたものである。
【発明の効果】
【０００８】
本発明の請求項１の信号処理方法では、ユニバーサル変換と同一周波数変換との双方を行うことができる。しかも、同一周波数変換時に、一つの局部発振器からの局部発振信号を二以上に分配し、分配した局部発振信号の一方を前段の周波数変換に、他方を後段の周波数変換に用いるので、局部発振信号間に周波数差がなく、前段と後段で同一周波数変換してもビートが発生しない。
【０００９】
本発明の請求項２の信号処理方法では、切替スイッチを切替操作するだけで、一つの局部発振器から発振された局部発振信号を前段と後段の周波数変換に使用して同一周波数変換することができ、前段と後段で使用する局部発振信号間に周波数差がないためビート障害が発生しない。
【００１０】
本発明の請求項３のシグナルプロセッサでは、切替スイッチを切替操作することにより、ユニバーサル変換と同一周波数変換とを切替えて行うことができる。
【００１１】
本発明の請求項４のシグナルプロセッサでは、ＣＰＵによりＰＬＬを制御してＰＬＬの出力電圧を制御することにより、局部発振器の発振周波数を変えることができるため、局部発振器をＣＰＵにより制御して所望周波数の局部発振信号を得ることができ、所望周波数に変換することができる。
【発明を実施するための最良の形態】
【００１２】
（実施例１）
図１は本発明の信号処理方法を実施化するためのシグナルプロセッサの一例である。このシグナルプロセッサはユニバーサル式のものであり、前段の局部発振器１から発振される局部発振信号を分配器２により二分配し、分配された局部発振信号の一方を前段のミキサー３に入力してＩＦ帯域の伝送信号を周波数変換し、後段の局部発振器４から発振される局部発振信号を切替スイッチＳＷを介して後段のミキサー５に入力して伝送信号を前記周波数変換前の周波数と異なる周波数に変換できるようにしたものである。前記切替スイッチＳＷはユニバーサル変換時には一方の局部発振器４側に接続され、同一周波数変換時には分配器２に接続されるものである。
【００１３】
図１のシグナルプロセッサでは、夫々の局部発振器１、４の夫々にＰＬＬが接続されている。ＰＬＬはそれからの出力電圧を変えて夫々の局部発振器１、４の発振周波数を変えるものである。夫々のＰＬＬの出力電圧は中央演算処理装置ＣＰＵ（パソコンでも可）により変えることができる（制御できる）ようにしてある。ＣＰＵは前記切替スイッチＳＷを切替ることもできるようにしてある。前記局部発振器１、４は周波数可変範囲が広いものが望ましい。
【００１４】
前記ＰＬＬにはＣＰＵで制御可能な一般的なデバイスを使用することができる。ＣＰＵもプログラムメモリーが少なく、安価なＣＰＵを使用可能である。切替スイッチはＳＰＤＴ−ＳＷなどの、携帯電話などに使用されている一般的なものを使用することができる。
【００１５】
図１のシグナルプロセッサにより同一周波数変換を行うには、ＣＰＵで切替スイッチＳＷが分配器２に接続されるように切替える。一方の局部発振器１の発振周波数は希望するローカル周波数（局部発振周波数）に設定し、切替スイッチＳＷを分配器２側に切替える。この状態で、局部発振器１から発振される局部発振信号を分配器２で分配し、分配信号の一方をミキサー３に入力して周波数変換し、他方をミキサー５に入力して周波数変換する。この場合、局部発振信号が共通の同一信号であるため、同一周波数変換が可能になり、ビート障害が発生しない。
【００１６】
図１のシグナルプロセッサによりユニバーサル変換を行うには、切替スイッチＳＷを局部発振器４側に切替え、ＣＰＵによりＰＬＬの出力電圧を制御し、ＰＬＬにより局部発振器４の発振周波数を制御して局部発振器１の発振周波数とは異なる局部発振周波数に設定する。この状態で、局部発振器１から発振される局部発振信号を分配器２からミキサー３に入力して周波数変換し、局部発振器４から発振される局部発振信号を他方のミキサー５に入力して周波数変換する。これによりユニバーサル変換が可能になる。
【図面の簡単な説明】
【００１７】
【図１】本発明のシグナルプロセッサの一例を示すブロック図。
【図２】従来の同一周波数変換方式のシグナルプロセッサの説明図。
【図３】従来のユニバーサル周波数数変換方式のシグナルプロセッサの説明図。
【符号の説明】
【００１８】
１  局部発振器
２  分配器
３  ミキサー
４  局部発振器
５  ミキサー
【図１】
2005051597.tif 000003
【図２】
2005051597.tif 000004
【図３】
2005051597.tif 000005